(57)【要約】      （修正有）【課題】空気清浄装置に関するもので、本体ケースの高さを低くする。【解決手段】本体ケース内に配置された第１のファン２と第２のファン３と、第１の本体吸込口に設けた空気清浄手段とからなり、第１のファンケース１４は、第１の本体吸込口に連通させた第１のファン吸込口と、第１の本体吹出口に連通させた第１のファン吹出口１９とを有し、第２のファンケース２２は、第２の本体吸込口に連通させた第２のファン吸込口と、第２の本体吹出口１２に連通させた第２のファン吹出口２７とを有し、本体ケースの下面には、第１の本体吸込口と第２の本体吸込口と第１の本体吹出口とを有し、本体ケースの側面には、第２の本体吹出口１２を備え、第１の羽根車１５と第２の羽根車２３とは、下方から見ると本体ケースにおける対角線上に設けたので、本体ケースの高さを低くすることができる。【選択図】図３
2015183946.tif 000002
【特許請求の範囲】
【請求項１】
第１と第２の本体吸込口と、第１と第２の本体吹出口とを有する箱形状の本体ケースと、この本体ケース内に配置された第１のファンと第２のファンと、前記第１の本体吸込口に設けた空気清浄手段とからなり、前記第１のファンは、第１のファンケースと、この第１のファンケース内に配置された第１の羽根車と、この第１の羽根車を駆動する第１のモータとを有し、前記第２のファンは、第２のファンケースと、この第２のファンケース内に配置された第２の羽根車と、この第２の羽根車を駆動する第２のモータとを有し、前記第１のファンケースは、前記第１の本体吸込口に連通させた第１のファン吸込口と、前記第１の本体吹出口に連通させた第１のファン吹出口とを有し、前記第２のファンケースは、前記第２の本体吸込口に連通させた第２のファン吸込口と、前記第２の本体吹出口に連通させた第２のファン吹出口とを有し、前記本体ケースの下面には、前記第１の本体吸込口と前記第２の本体吸込口と前記第１の本体吹出口とを有し、前記本体ケースの側面には、前記第２の本体吹出口を備え、前記第１の羽根車と前記第２の羽根車とは、前記本体ケースの下方から見ると前記本体ケースにおける対角線上に設けたことを特徴とする空気清浄装置。
【請求項２】
前記本体ケースの一方側の下面には、前記第１の本体吸込口を有し、前記第１の本体吸込口の上方には前記第１のファン吸込口を設け、前記本体ケースの他方側の下面には、前記第１の本体吹出口を備え、前記第１の本体吹出口の上方には前記第１のファン吹出口を備え、前記第２のファンケースは、前記第１のファンケースの舌部の外方側に設けたことを特徴とする請求項１に記載の空気清浄装置。
【請求項３】
前記第２のファンケースは、前記第１のファンケースより大きいことを特徴とする請求項２に記載の空気清浄装置。
【請求項４】
前記本体ケースの一方側の下面には、前記第２の本体吸込口を備え、前記本体ケースの他方側には、前記第２のファン吸込口を有したことを特徴とする請求項１または２に記載の空気清浄装置。
【発明の詳細な説明】
【技術分野】
【０００１】
本発明は、例えば天井取り付けされる換気機能を備えた空気清浄装置に関するものである。
【背景技術】
【０００２】
従来のこの種空気清浄装置の構成は、下記のようなものとなっていた。
すなわち、第１と第２の本体吸込口と第１と第２の本体吹出口を有する箱形状の本体ケースと、この本体ケース内に配置された第１のファンと第２のファンと、前記第１の本体吸込口に設けた空気清浄手段とからなり、前記第１のファンは、第１のファンケースと、この第１のファンケース内に配置された第１の羽根車と、この第１の羽根車を駆動する第１のモータとを有し、前記第２のファンは、第２のファンケースと、この第２のファンケース内に配置された第２の羽根車と、この第２の羽根車を駆動する第２のモータとを有し、前記第１のファンケースは、前記第１の本体吸込口に連通させた第１のファン吸込口と、前記第１の本体吹出口に連通させた第１のファン吹出口とを有し、前記第２のファンケースは、前記第２の本体吸込口に連通させた第２のファン吸込口と、前記第２の本体吹出口に連通させた第２のファン吹出口とを有し、前記本体ケースの下面には、前記第１の本体吸込口と前記第２の本体吸込口と前記第１の本体吹出口とを有し、前記第１の羽根車と前記第２の羽根車とは、前記本体ケースの上下方向に並べて設けた構成としていた（例えば特許文献１参照）。
【先行技術文献】
【特許文献】
【０００３】
【特許文献１】特開２００６−９７９９８号公報
【発明の概要】
【発明が解決しようとする課題】
【０００４】
上記従来例で課題となるのは、本体ケースの高さが高くなるということであった。
【０００５】
すなわち、上記従来例における空気清浄装置は、第１の羽根車と第２の羽根車とは、本体の上下方向に並べて設けた構成となり、本体の高さが高くなるものである。この種の空気清浄装置は、天井裏に設置されるので、天井裏の高さ寸法によって、本体の高さが制限されるものである。近年は、天井裏の高さが低い建物もあり、本体の高さの低いものが求められる場合がある。
【０００６】
そこで本発明は、本体の高さを低くすることを目的とするものである。
【課題を解決するための手段】
【０００７】
そして、この目的を達成するために本発明は、第１と第２の本体吸込口と、第１と第２の本体吹出口とを有する箱形状の本体ケースと、この本体ケース内に配置された第１のファンと第２のファンと、前記第１の本体吸込口に設けた空気清浄手段とからなり、前記第１のファンは、第１のファンケースと、この第１のファンケース内に配置された第１の羽根車と、この第１の羽根車を駆動する第１のモータとを有し、前記第２のファンは、第２のファンケースと、この第２のファンケース内に配置された第２の羽根車と、この第２の羽根車を駆動する第２のモータとを有し、前記第１のファンケースは、前記第１の本体吸込口に連通させた第１のファン吸込口と、前記第１の本体吹出口に連通させた第１のファン吹出口とを有し、前記第２のファンケースは、前記第２の本体吸込口に連通させた第２のファン吸込口と、前記第２の本体吹出口に連通させた第２のファン吹出口とを有し、前記本体ケースの下面には、前記第１の本体吸込口と前記第２の本体吸込口と前記第１の本体吹出口とを有し、前記本体ケースの側面には、前記第２の本体吹出口を備え、前記第１の羽根車と前記第２の羽根車とは、前記本体ケースの下方から見ると前記本体ケースにおける対角線上に設けたことを特徴とし、これにより初期の目的を達成するものである。
【発明の効果】
【０００８】
以上のように、本発明は、第１と第２の本体吸込口と、第１と第２の本体吹出口とを有する箱形状の本体ケースと、この本体ケース内に配置された第１のファンと第２のファンと、前記第１の本体吸込口に設けた空気清浄手段とからなり、前記第１のファンは、第１のファンケースと、この第１のファンケース内に配置された第１の羽根車と、この第１の羽根車を駆動する第１のモータとを有し、前記第２のファンは、第２のファンケースと、この第２のファンケース内に配置された第２の羽根車と、この第２の羽根車を駆動する第２のモータとを有し、前記第１のファンケースは、前記第１の本体吸込口に連通させた第１のファン吸込口と、前記第１の本体吹出口に連通させた第１のファン吹出口とを有し、前記第２のファンケースは、前記第２の本体吸込口に連通させた第２のファン吸込口と、前記第２の本体吹出口に連通させた第２のファン吹出口とを有し、前記本体ケースの下面には、前記第１の本体吸込口と前記第２の本体吸込口と前記第１の本体吹出口とを有し、前記本体ケースの側面には、前記第２の本体吹出口を備え、前記第１の羽根車と前記第２の羽根車とは、前記本体ケースの下方から見ると前記本体ケースにおける対角線上に設けたことを特徴としたので、本体の高さを低くすることができる。
【０００９】
すなわち本発明においては、第１の羽根車と第２の羽根車とは、本体ケースの下方から見ると本体ケースにおける対角線上に設けたので、本体の高さを低くすることができるものである。
【図面の簡単な説明】
【００１０】
【図１】本発明の実施の形態の空気清浄装置の設置状態を示す図
【図２】同空気清浄装置の内部を示す図
【図３】同空気清浄装置の内部を示す図
【図４】同空気清浄装置の内部を示す図
【発明を実施するための形態】
【００１１】
以下、本発明の実施の形態について、図１〜図４を参照しながら説明する。
【００１２】
（実施の形態１）
実施の形態１は、図１、２、３、４に示すように、天井埋込形で、換気機能を備えた空気清浄装置に係るものである。
【００１３】
空気清浄装置は、本体ケース１内に、第１のファン２と、第２のファン３と、空気清浄手段４と、ルーバ３０を有している。
【００１４】
空気清浄装置は、天井５裏に挿入設置される。この本体ケース１は、上下方向の厚みが小さい箱形状で、水平断面形状は、四角形である。本体ケース１の下端辺には、外方へ伸びるフランジ部６を備えている。このフランジ部６は、本体ケース１の下方から見ると、額縁のように環状のロの字形状である。天井５に設置する場合は、まず、天井に四角形の孔７を開ける。この孔７は、本体ケース１の水平断面形状よりやや大きい大きさである。次に、この孔７に、室内側から本体ケース１の上端を挿入し、更に、フランジ部６の上面が天井５の下面に当たるまで挿入する。ここで、フランジ部６に有する複数のねじ孔８を介して、ねじによって天井５に固定する。
【００１５】
なお、本体ケース１の形状は、更に良いのは、水平断面形状が正方形である。この正方形は、本体ケースの１水平断面形状が厳密には長方形であっても、天井５に開ける孔７の形状が正方形であればよい。すなわち、空気清浄装置を天井５に取り付ける場合に、フランジ部６によって、水平断面形状が長方形の本体ケース１と、天井５に開ける正方形の孔との隙間が隠れると共に、フランジ部６に有する複数のねじ孔８を介して、ねじによって天井５に固定できればよい。
【００１６】
本体ケース１は、第１の本体吸込口９と、第２の本体吸込口１０と、第１の本体吹出口１１と、第２の本体吹出口１２とを備えている。本体ケース１の一方側の下面には、第１の本体吸込口９と第２の本体吸込口１０を有し、本体ケース１の他方側の下面には、第１の本体吹出口１１を備えている。これら第１の本体吸込口９、第２の本体吸込口１０、第１の本体吹出口１１は、本体ケース１の下面に設けられ、室内に臨む開口である。本体ケース１の他方側の側面には、第２の本体吹出口１２を有している。この第２の本体吹出口１２は、屋外と連通するダクト１３に連結される。本体ケース１の下面には、ルーバ３０を備えている。
【００１７】
第１のファン２は、第１のファンケース１４と、この第１のファンケース１４内に配置された第１の羽根車１５と、この第１の羽根車１５を駆動する第１のモータ１６とを有している。
【００１８】
第１のモータ１６は、第１のモータ１６の下面より下方へ伸びた第１のモータ回転軸１７を備えている。この第１のモータ回転軸１７に、第１の羽根車１５が固定されている。この第１の羽根車１５の１例は、シロッコファンである。
【００１９】
第１のファンケース１４は、下面には、第１のファン吸込口１８を有し、他方側の側面には、第１のファン吹出口１９を有している。第１のファンケース１４の第１の羽根車１５の外周部分は、図３に示すようにその舌部２０から、この舌部２０に対向する舌部対向位置２１まで、第１の羽根車１５の回転方向に、この第１の羽根車１５との間隔が徐々に広がる形状としている。この舌部２０と舌部対向位置２１から第１のファン吹出口１９までの間の第１のファンケース部分は、この舌部２０と舌部対向位置２１間との間隔よりも徐々に大きくなる略直線的な壁面を有している。
【００２０】
第１のファン吸込口１８は、第１の本体吸込口９と連通し、第１のファン吹出口１９は、第１の本体吹出口１１と連通している。第１の本体吸込口９の上方には、第１のファン吸込口１８を設け、第１の本体吹出口１１の上方には、第１のファン吹出口１９を備えている。この第１の本体吸込口９には、空気清浄手段４を設けている。空気清浄手段４の１例は、集塵ファイルターである。
【００２１】
第１のモータ１６によって、第１の羽根車１５を駆動すると、室内の空気が、第１の本体吸込口９に設けられた空気清浄手段４から本体ケース１内に吸い込まれる。この吸い込まれた空気は、第１のファン吸込口１８から第１のファンケース１４内に入り、第１のファン吹出口１９を介して、第１の本体吸込口９から室内へ送風される。すなわち、室内の空気を空気清浄手段４を介して、循環送風するものである。
【００２２】
第２のファン３は、第２のファンケース２２と、この第２のファンケース２２内に配置された第２の羽根車２３と、この第２の羽根車２３を駆動する第２のモータ２４とを有している。
【００２３】
第２のモータ２４は、第２のモータ２４の下面より下方へ伸びた第２のモータ回転軸２５を備えている。この第２のモータ回転軸２５に、第２の羽根車２３が固定されている。この第２の羽根車２３の１例は、シロッコファンである。
【００２４】
第２のファンケース２２は、下面には、第２のファン吸込口２６を有し、他方側の側面には、第２のファン吹出口２７を有している。第２のファンケース２２の第２の羽根車２３の外周部分は、図３に示すようにその第２のファンケース２２の舌部２８から、この舌部２８に対向する第２のファンケース２２の舌部対向位置２９まで、第２の羽根車２３の回転方向に、この第２の羽根車２３との間隔が徐々に広がる形状としている。
【００２５】
第２のファンケース２２は、第２のファン吸込口２６と第２のファン吹出口２７とを有している。第２のファン吸込口２６は、第２の本体吸込口１０と連通し、第２のファン吹出口２７は、第２の本体吹出口１２と連通している。第２のファン吸込口２６は、本体ケース１の他方側に設けられている。
【００２６】
第２のモータ２４によって、第２の羽根車２３を駆動すると、室内の空気が、第２の本体吸込口１０から本体ケース１内に吸い込まれる。この吸い込まれた空気は、第２のファン吸込口２６から第２のファンケース２２内に入り、第２のファン吹出口２７を介して、第２の本体吸込口１０から屋外と連通するダクト１３へ送風される。すなわち、室内の空気を屋外へ換気送風するものである。
【００２７】
本実施形態の特徴は、第１の羽根車１５と第２の羽根車２３とは、本体ケース１の下方から見ると本体ケース１における対角線上に設けたので、本体ケース１の高さを低くすることができるものである。すなわち、従来のように、２つの羽根車を、本体ケースの上下方向に並べて設けた構成に比べ、本体ケースの下方から見ると本体ケースにおける対角線上に設ける方が、本体ケースの高さを低くすることができるものである。
【００２８】
更に、本体ケース１の下方から見ると本体ケース１における対角線上に、隣接するように第１の羽根車１５と第２の羽根車２３を設けると、本体ケース１下面の辺方向に隣接するように第１の羽根車１５と第２の羽根車２３を設ける場合に比べ、第１のファンケース１４と第２のファンケース２２の水平断面形状が、スクロール形状であるので、本体ケース１内での第１の羽根車１５と第２の羽根車２３とを大きく構成することができる。
【００２９】
また、本体ケース１の一方側の下面には、第１の本体吸込口９を有し、第１の本体吸込口９の上方には第１のファン吸込口１８を設けている。本体ケース１の他方側の下面には、第１の本体吹出口１１を備え、第１の本体吹出口１１の上方には第１のファン吹出口１９を備えている。第２のファンケース２２は、第１のファンケース１４の舌部２０の外方側に設けたものである。
【００３０】
具体的には、第１のファンケース１４の第１の羽根車１５の外周部分は、図３に示すようにその舌部２０から、この舌部２０に対向する舌部対向位置２１まで、第１の羽根車１５の回転方向に、この第１の羽根車１５との間隔が徐々に広がる形状としている。この舌部２０と舌部対向位置２１から第１のファン吹出口１９までの間の第１のファンケース部分は、この舌部２０と舌部対向位置２１間との間隔よりも徐々に大きくなる略直線的な壁面を有している。すなわち、舌部２０から第１の羽根車１５の回転方向に、この第１の羽根車１５との間隔が徐々に広がる第１のファンケース１４の第１の羽根車１５の外周部分と、舌部２０から第１のファン吹出口１９まで伸びる壁部との間、つまり、第１のファンケース１４の舌部２０の外方側には、空間部を有するものである。結果として、第２のファンケース２２を、第１のファンケース１４の舌部２０の外方側に設けると、この空間部に、第２のファンケース２２の一部が入り込み、一方側から見ると、第１のファンケース１４と第２のファンケース２２とが重なる部分ができるので、本体ケース１内での第１の羽根車１５と第２の羽根車２３とを大きく構成することができる。
【００３１】
また、第２のファンケース２２は、第１のファンケース１４より小さいものである。
【００３２】
これにより、第１のファンケース１４は、第１のファンケース１４の舌部２０の外方側に有する空間部が更に大きなものとなる。
【００３３】
すなわち、この更に大きい空間部に、第１のファンケース１４より小さい第２のファンケース２２の一部が入り込み、一方側から見ると、第１のファンケース１４と第２のファンケース２２とが重なる部分が増加する。第２のファンケース２２におけるこの重なる部分の割合も増加するので、本体ケース１の水平断面積を更に有効に使うことができる。
【００３４】
また、本体ケース１の一方側の下面には、第２の本体吸込口１０を備え、本体ケース１の他方側には、第２のファン吸込口２６を有したものである。
【００３５】
すなわち、本体ケース１における他方側から吹き出し、一方側から吸い込むことができるものである。これにより、本体ケース１を部屋の中央に設置した場合に、最初に、本体ケース１から部屋の他方側から吹き出し、部屋の他方側の壁に沿って流れる。次に、床上を部屋の他方側から部屋の一方側へ流れる。更に、部屋の一方側の壁に沿って流れ、部屋の一方側の壁側から、本体ケース１へ吸い込まれる。このように、部屋内を循環する気流を作ることができる。
【産業上の利用可能性】
【００３６】
以上のように、本発明は、第１と第２の本体吸込口と、第１と第２の本体吹出口とを有する箱形状の本体ケースと、この本体ケース内に配置された第１のファンと第２のファンと、前記第１の本体吸込口に設けた空気清浄手段とからなり、前記第１のファンは、第１のファンケースと、この第１のファンケース内に配置された第１の羽根車と、この第１の羽根車を駆動する第１のモータとを有し、前記第２のファンは、第２のファンケースと、この第２のファンケース内に配置された第２の羽根車と、この第２の羽根車を駆動する第２のモータとを有し、前記第１のファンケースは、前記第１の本体吸込口に連通させた第１のファン吸込口と、前記第１の本体吹出口に連通させた第１のファン吹出口とを有し、前記第２のファンケースは、前記第２の本体吸込口に連通させた第２のファン吸込口と、前記第２の本体吹出口に連通させた第２のファン吹出口とを有し、前記本体ケースの下面には、前記第１の本体吸込口と前記第２の本体吸込口と前記第１の本体吹出口とを有し、前記本体ケースの側面には、前記第２の本体吹出口を備え、前記第１の羽根車と前記第２の羽根車とは、前記本体ケースの下方から見ると前記本体ケースにおける対角線上に設けたことを特徴としたので、本体の高さを低くすることができる。
【００３７】
すなわち本発明においては、第１の羽根車と第２の羽根車とは、本体ケースの下方から見ると本体ケースにおける対角線上に設けたので、本体ケースの高さを低くすることができるものである。
【００３８】
このため、家庭用、業務用として、天井取り付けされる換気機能を備えた空気清浄装置に広く活用が期待されるものとなる。
【符号の説明】
【００３９】
１      本体ケース
２      第１のファン
３      第２のファン
４      空気清浄手段
５      天井
６      フランジ部
７      孔
８      ねじ孔
９      第１の本体吸込口
１０      第２の本体吸込口
１１      第１の本体吹出口
１２      第２の本体吹出口
１３      ダクト
１４      第１のファンケース
１５      第１の羽根車
１６      第１のモータ
１７      第１のモータ回転軸
１８      第１のファン吸込口
１９      第１のファン吹出口
２０      舌部
２１      舌部対向位置
２２      第２のファンケース
２３      第２の羽根車
２４      第２のモータ
２５      第２のモータ回転軸
２６      第２のファン吸込口
２７      第２のファン吹出口
２８      舌部
２９      舌部対向位置
３０      ルーバ
【図１】
2015183946.tif 000003
【図２】
2015183946.tif 000004
【図３】
2015183946.tif 000005
【図４】
2015183946.tif 000006